(57)【要約】【課題】  ホコリと水分が分離されて収集され、収集された水分の逆流が防止された集塵装置を提供する。【解決手段】  空気中に含まれた水分と汚物を分離する真空清掃機の集塵装置が開示される。開示された集塵装置は、空気流入口及び空気流出口が備えられたサイクロン本体と；サイクロン本体の下部に結合され、空気流入口を介して流入した空気から除去されたホコリを格納するホコリ専用収集桶と；ホコリ専用収集桶の下部に結合され、空気流入口を介して流入した空気及びホコリから除去された水分を格納する水分専用収集桶とを含む。【選択図】      図４
2006175202.tif 000002
【特許請求の範囲】
【請求項１】
空気流入口及び空気流出口が備えられたサイクロン本体と；
前記サイクロン本体の下部に結合され、前記空気流入口を介して流入した空気から除去されたホコリを格納するホコリ専用収集桶と；
前記ホコリ専用収集桶の下部に結合され、前記空気流入口を介して流入した空気及びホコリから除去された水分を格納する水分専用収集桶とを含むことを特徴とする真空清掃機の集塵装置。
【請求項２】
前記ホコリ専用収集桶と前記水分専用収集桶間には水分通過孔が形成された少なくとも一つのフィルターをさらに含むことを特徴とする請求項１に記載の真空清掃機の集塵装置。
【請求項３】
前記ホコリ専用収集桶と前記水分専用収集桶は一体に形成されたことを特徴とする請求項１または２に記載の真空清掃機の集塵装置。
【請求項４】
前記水分通過孔において、水は重力により通過するがホコリや汚物は通過できないことを特徴とする請求項２に記載の真空清掃機の集塵装置。
【請求項５】
前記水分専用収集桶の下端は開閉自在なことを特徴とする請求項２に記載の真空清掃機の集塵装置。
【発明の詳細な説明】
【技術分野】
【０００１】
本発明は真空清掃機に係り、さらに詳細には水分と汚物を分離する真空清掃機の集塵装置に関する。
【背景技術】
【０００２】
一般的に真空清掃機の集塵装置は紙バックを用いてホコリなどを分離する集塵装置と、流入する空気を回転させ汚物などを分離する集塵装置などが知られている。
【０００３】
紙バックを用いて分離する集塵装置は、ユーザが紙バックを取り替えなければならない不便さがあって、今は半永久的に使うことができる、いわゆるサイクロン集塵装置が幅広く使われている。
【０００４】
しかし、このような集塵装置は、空気中に水分が含まれた汚物やホコリなどが流入する場合、その水分が除去されない汚物がホコリ桶に格納されることによりかびや細菌などが繁殖して悪臭を生じさせる恐れがあった。
【０００５】
また、未分離水分と逆流された水分が排気フィルターのような各種フィルターに入っていきフィルターを詰まらせることを防止することができなかった。これにより清掃機の吸入力が劣って吸入モータに過負荷がかかるようになって吸入モータの故障につながった。
【発明の開示】
【発明が解決しようとする課題】
【０００６】
本発明は前記のような問題点を解決するために創案されたことであって、本発明の目的は、ホコリと水分が分離されて収集される集塵装置を提供することにある。
【０００７】
また、本発明の他の目的は、収集された水分の逆流が防止された集塵装置を提供することにある。
【課題を解決するための手段】
【０００８】
前記目的を達成するための本発明による集塵装置は、空気流入口及び空気流出口が備えられたサイクロン本体と；前記サイクロン本体の下部に結合され、前記空気流入口を介して流入した空気から除去されたホコリを格納するホコリ専用収集桶と；前記ホコリ専用収集桶の下部に結合され、前記空気流入口を介して流入した空気及びホコリから除去された水分を格納する水分専用収集桶とを含む。
【０００９】
したがって、上部に収集されたホコリなどによって下部に格納された水分が逆流され空気流出口から抜けることなく、水分とホコリが分離格納されることでホコリにかびや細菌などが繁殖し悪臭を抑制できる。
【００１０】
前記ホコリ専用収集桶と前記水分専用収集桶間には水分通過孔が形成された少なくとも一つのフィルターをさらに含むことが望ましく、前記水分通過孔において水は重力により通過させるがホコリや汚物は通過させることができないよう適当なサイズを有することが一層好ましい。前記ホコリ専用収集桶と前記水分専用収集桶は一体に形成されたことが好ましい。また、前記水分専用収集桶の下端を開閉自在に構成することができる。
【発明の効果】
【００１１】
以上で説明した本発明の実施例による集塵装置は、
第一に、水分とホコリが別に収集されるので、ホコリが水分によりホコリ桶内にくっつくことが抑えられ、ホコリの排出が容易になる。
【００１２】
第二に、水分とホコリが別に収集されるので、水分とホコリが混ざってきたならしくなることを抑えることができて、水分によりかび、細菌などの繁殖を防止することができて、衛生上清潔である。
【００１３】
第三に、網フィルターと網フィルターに溜まったホコリによって収集された水分の逆流を防止することができて、逆流された水分によりフィルター詰まりを防止することができる。これにより、清掃機の吸入力が一定に維持されて、過負荷なく吸入モータが正常に作動する。
【００１４】
以下、本発明の原理を例示するための好ましい実施例と関連して説明して図示するが、本発明はそのように図示して説明されたそのままの構成及び作用に限られるのでない。むしろ添付された特許請求範囲の思想及び範ちゅうを逸脱することなく本発明に対する複数の変更及び修正が可能なことを当業者はよく理解することができることである。したがって、そういうすべての適切な変更及び修正と均等物も本発明の範囲に属することと見なされなければならない。
【発明を実施するための最良の形態】
【００１５】
以下、本発明の好ましい実施例を添付した図面に基づいて詳細に説明する。
（第１実施例）
図１を参照すると、第１実施例による集塵装置１００が採用されたアップライト型真空清掃機１０は清掃機本体１１と、ブラッシュ組立体１３と、取っ手１５、集塵装置１００を含む。
【００１６】
清掃機本体１１は吸入力を提供する真空源（図示せず）と、排気フィルター（図示せず）を備える。
【００１７】
ブラッシュ組立体１３は清掃機本体１１の下側に設置して、被清掃面のホコリと水分を吸い込む。
【００１８】
取っ手１５は、清掃機本体１１に所定の角度回動自在に設置されて真空清掃機１０を作動させるオン／オフスイッチ１７を備える。
【００１９】
図１及び図２に示したように、集塵装置１００は清掃機本体１１に着脱自在に設置されて、空気中に含まれたホコリ及び水分を遠心力を用いて分離する。
【００２０】
このような集塵装置１００は、ホコリが収集される空間Ｓ１とホコリが収集される空間の下側に水分が収集される空間Ｓ２を別途に具備し、ホコリが収集される空間Ｓ１と水分が収集される空間Ｓ２は網フィルター１４０により区分される。
【００２１】
このために集塵装置１００は、サイクロン本体１１０と、ホコリ専用収集桶１２０と、水分専用収集桶１３０と、網フィルター１４０とを含む。
【００２２】
サイクロン本体１１０は、空気中に含まれた水分及びホコリを遠心分離する円筒形の容器である。サイクロン本体１１０の上面１１０ａには水分及びホコリが除去された空気が抜ける空気排出通路１１１が形成される。このような空気排出通路１１１は円形パイプで構成され、サイクロン本体１１０の上面に溶接または接着されて設置される。もちろん、サイクロン本体１１０と一体にモールディングされ形成されることもできる。そして、本実施例のような円形パイプ以外にも、場合によって四角形のパイプ等で多様に空気排出通路１１１を構成することができる。また、このような空気排出通路１１１をサイクロン本体１１０内部に一定部分挿入し、挿入された部分にグリル（図示せず）を設置することもできる。
【００２３】
サイクロン本体１１０の円周面１１０ｂにはホコリ及び水分が含まれた空気が遠心力を持ちながらサイクロン本体１１０内に流入するようにする空気流入通路１１３が形成される。このような空気流入通路１１３は円形のパイプで構成され、サイクロン本体１１０の円周面１１０ｂに溶接または接着されて設置される。もちろんサイクロン本体１１０と一体でモールディングされて形成されることもできる。そして、本実施例のような円形パイプ以外にも場合によって四角形のパイプのような多様な形状のパイプを用いて空気流入通路１１３を構成することができる。
【００２４】
図２及び図３を参照すると、上述したサイクロン本体１１０はホコリ専用収集桶１２０と連通するために下部が開放される。このためにサイクロン本体１１０の底が除去される。
【００２５】
ホコリ専用収集桶１２０は上部と下部が開放された円筒形の容器である。このようなホコリ専用収集桶１２０は、サイクロン本体１１０の下部に着脱自在に設置される。
【００２６】
水分専用収集桶１３０は上部が開放された円筒形の容器である。このような水分専用収集桶１３０は、ホコリ専用収集桶１２０の下部に着脱自在に設置される。
【００２７】
網フィルター１４０はホコリ専用収集桶１２０と水分専用収集桶１３０間に溶接または接着されて設置される円形のフィルターである。
【００２８】
図３を参照すると、網フィルター１４０は複数個の水分通過孔１４１を有する。このような水分通過孔１４１は所定の横及び縦の長さを有した四角形の穴である。もちろん所定の直径を有した円形の穴等いろいろ形状で具現することができることである。そして、このような水分通過孔１４１の大きさは濾過しようとするホコリの大きさに応じて決定される。しかしあまり小さい場合、水分の通過が容易くないので、網フィルター１４０は適正な大きさの水分通過孔１４１を有しなければならない。
【００２９】
図４を参照すると、このようなサイクロン本体１１０、ホコリ専用収集桶１２０及び網フィルター１４０によりホコリ収集空間Ｓ１が形成されて、水分専用収集桶１３０及び網フィルター１４０により水分収集空間Ｓ２が形成される。
【００３０】
前記のような構成により、網フィルター１４０の上面１４０ａに一次的に水分とホコリが収集される。以後ホコリはろ過されて網フィルター１４０の上面１４０ａに残って、水分は２次的に矢印Ｂ方向に水分通過孔１４１を通過した後水分専用収集桶１３０の底１３０ａに落ちる。したがって、ホコリはホコリ収集空間Ｓ１に、水分は水分収集空間Ｓ２に収集される。
【００３１】
そして、このように収集された水分は網フィルター１４０と網フィルター１４０の上面１４０ａに収去されたホコリにより遮断され空気排出通路１１１に逆流することが防止される。
【００３２】
一方、本発明の要旨ではなくて説明を省略したサイクロン本体１１０、ホコリ専用収集桶１２０、水分専用収集桶１３０の相互結合は図４に示したようなはめ合わせを利用することができて、さらに堅固な結合のために、ねじ、輪などを利用することもできる。
【００３３】
図５は本発明の集塵装置の第２実施例を示した図である。図５に示したように、ホコリ専用収集桶１２０’と水分専用収集桶１３０’を一体で構成して、水分専用収集桶１３０'の下壁１３０ａ’を開閉自在に構成することができる。したがって、水分専用収集桶１３０'から水を除去するのが容易い。その他残りの構成は上述した第１実施例と同一であるので説明は除く。
【００３４】
一方、第１実施例及び第２実施例のような集塵装置１００はキャニスター型、アップライト型、ロボット清掃機等すべての形態の真空清掃機に適用が可能である。但し、ホコリ収集空間Ｓ１と水分収集空間Ｓ２が垂直で形成された関係によって、高さの制約がないアップライト型真空清掃機に適用することがさらに好ましい。
【００３５】
以下、本発明の第１実施例による集塵装置１００の動作につき詳説する。
【００３６】
図１に示したように、ユーザは取っ手１５をつかんで真空清掃機１０のブラッシュ組立体１３を被清掃面に沿って移動させる。この時、清掃機本体１１に設置した吸入源（図示せず）の吸入力により、被清掃面のホコリと水分がブラッシュ組立体１３を経て集塵装置１００内に吸い込まれる。
【００３７】
図４に基づくと、矢印Ａ方向に空気流入通路１１３を介してサイクロン本体１１０の内部に吸い込まれた空気中に含まれたホコリ及び水分は、遠心力により回転しながら空気から分離される。
【００３８】
このように分離されたホコリ及び水分は一次的にホコリ専用収集桶１２０の下部に設置した網フィルター１４０の上面１４０ａに収集される。その後ホコリはろ過されて網フィルター１４０の上面１４０ａに残り、水分は２次的に矢印Ｂ方向に水分通過孔１４１を通過した後水分専用収集桶１３０の底１３０ａに落ちて収集される。
【００３９】
以後、ホコリ及び水分が除去された空気は、矢印Ｃ方向にサイクロン本体１１０上面１１０ａに形成された空気排出通路１１１を介して集塵装置１００を抜け出る。
【産業上の利用可能性】
【００４０】
本発明である集塵装置はキャニスター型、ドラム型、アップライト型、スティック型、ハンディー型、ロボット型清掃機にすべて適用される。
【図面の簡単な説明】
【００４１】
【図１】本発明の第１実施例に係る集塵装置が採用されたアップライト型真空清掃機を示した斜視図である。
【図２】図１における集塵装置を示した斜視図である。
【図３】図２における集塵装置の分解斜視図である。
【図４】図２における断面IV−IVを示した図である。
【図５】本発明の第２実施例に係る集塵装置を示した断面図である。
【符号の説明】
【００４２】
１０    アップライト型真空清掃機
１００  集塵装置
１１０  サイクロン本体
１２０  ホコリ専用収集桶
１３０  水分専用収集桶
１４０  網フィルター
１４１  水分通過孔
【図１】
2006175202.tif 000003
【図２】
2006175202.tif 000004
【図３】
2006175202.tif 000005
【図４】
2006175202.tif 000006
【図５】
2006175202.tif 000007